(57)【要約】【課題】  本発明は人形、置物、装飾品、掛時計、置時計等の室内の飾りとしての機能はもちろん、室内の消臭、除湿、空気清浄等の機能を、他人に知られないように作用させることができる室内の飾り物を得るにある。【解決手段】  人形、置物、装飾品、掛時計、置時計等の室内の飾り物の全体、一部あるいは一部の部品を炭で形成したことで室内の飾り物を構成している。【選択図】  図３
2005161646.tif 000002
【特許請求の範囲】
【請求項１】
人形、置物、装飾品、掛時計、置時計等の室内の飾り物の全体、一部あるいは一部の部品を炭で形成したことを特徴とする室内の飾り物。  
【請求項２】
人形、置物、装飾品、掛時計、置時計等の室内の飾り物の全体、一部あるいは一部の部品を、粉炭をペントナイト、ニカワ等の通気性を有する接着剤や凝固剤等で固められたもので形成したことを特徴とする室内の飾り物。  
【請求項３】
人形、置物、装飾品、掛時計、置時計等の室内の飾り物の全体、一部あるいは一部の部品を、炭を含む材料で形成したことを特徴とする室内の飾り物。
【請求項４】
人形、置物、装飾品、掛時計、置時計等の室内の飾り物本体と、この室内の飾り物本体の全体あるいは一部の表面を覆うように取付けられた炭シートとからなることを特徴とする室内の飾り物。
【請求項５】
炭は木酢液あるいは竹酢液、香り成分のいずれか一方あるいは両方が吸着されたものを用いていることを特徴とする請求項１、２、３、４いずれかに記載の室内の飾り物。
【発明の詳細な説明】
【技術分野】
【０００１】
本発明は人形、置物、装飾品、掛時計、置時計等の室内の飾りとして使用される室内の飾り物に関する。
【背景技術】
【０００２】
従来の人形、置物、装飾品、掛時計、置時計等の室内の飾り物は、飾り物としての機能や時計としての機能を有するように構成されている。
また、室内の消臭、除湿、空気清浄等はそれぞれ別な手段で行なっている。
【０００３】
このため、室内を飾ったり、消臭、除湿、空気清浄等を行なうには、それぞれの機能を有するものを室内に設置しなければならず、面倒であるとともに、室内の美観を損なうという欠点があった。
【特許文献１】特になし
【発明の開示】
【発明が解決しようとする課題】
【０００４】
本発明は以上のような従来の欠点に鑑み、人形、置物、装飾品、掛時計、置時計等の室内の飾りとしての機能はもちろん、室内の消臭、除湿、空気清浄等の機能を、他人に知られないように作用させることができる室内の飾り物を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は人形、置物、装飾品、掛時計、置時計等の室内の飾り物の全体、一部あるいは一部の部品を炭で形成したことで室内の飾り物を構成している。
【発明の効果】
【０００７】
以上の説明から明らかなように、本発明にあっては次に列挙する効果が得られる。
【０００８】
（１）室内の飾り物の全体、一部あるいは一部の部品を炭で形成したので、室内の飾り物としての機能はもちろん、炭で形成された所での消臭、除湿、空気清浄等の機能が得られる。
したがって、二つの機能を有し、経済的に使用することができる。
【０００９】
（２）前記（１）によって、消臭、除湿、空気清浄等の機能を有するものを、室内の飾り物とは別に設置しなくてもよいので、室内が煩雑になることなく、スッキリした状態にすることができる。
【００１０】
（３）前記（１）によって、室内の消臭、除湿、空気清浄等の機能は自然のものである炭で行なうので、安全で、匂いで消臭するものに比べ、誰でもが違和感を感じることなく、その機能をさせることができる。
【００１１】
（４）前記（１）によって、直射日光や過熱される部位に設置することにより、炭が過熱され、遠赤外線効果、消臭効果が向上し、マイナスイオン放出量が大幅に上がる。
【００１２】
（５）請求項２、３、４も前記（１）〜（４）と同様な効果が得られる。
【００１３】
（６）請求項５は前記（１）〜（４）と同様な効果が得られるとともに、木酢液、竹酢液によって防虫、防カビ効果の向上を図ることができる。
【発明を実施するための最良の形態】
【００１４】
以下、図面に示す本発明を実施するための最良の形態より、本発明を詳細に説明する。
【００１５】
図１ないし図３に示す本発明を実施するための最良の第１の形態において、１は本発明の室内の飾り物で、この室内の飾り物１は炭をダルマ形状に加工した室内の飾り物本体２と、この室内の飾り物本体２の表面を通気性の塗料を用いてダルマの模様となるように形成された塗膜３とで構成されている。
【００１６】
このように構成された室内の飾り物１としてのダルマは室内に飾られるとともに、室内の飾り物本体２が炭で形成されているため、室内の消臭、除湿、空気清浄等を自然に行なうことができる。
[発明を実施するための異なる形態]
【００１７】
次に、図４ないし図２９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図４ないし図６に示す本発明を実施するための第２の形態において、前記本発明を実施するための最良の第１の形態と主に異なる点は、粉炭や粒炭４をペントナイト、ニカワ等の通気性を有する接着剤や凝固剤５等で固めてダルマ形状に室内の飾り物本体２Ａを型を用いて形成した点で、このように形成された室内の飾り物本体２Ａを用いて構成したダルマの飾り物１Ａにしても、前記本発明を実施するための最良の第１の形態と同様な作用効果が得られるとともに、大きな形状のものでも容易に製造することができる。
【００１９】
図７ないし図９に示す本発明を実施するための第３の形態において、前記本発明を実施するための第２の形態と主に異なる点は、炭以外の材質を用いてダルマ形状の室内の飾り物本体２Ｂを形成するとともに、この室内の飾り物本体２Ｂの表面を粉炭や粒炭４を紙、布、合成樹脂等のシート６に付着させた炭シート６で覆って、その上に塗膜３を形成した点で、このように構成したダルマの室内の飾り物１Ｂにしても、前記本発明を実施するための第２の形態と同様な作用効果が得られる。
なお、本発明の実施の形態では室内の飾り物本体２Ｂを通気性を有する材質で形成し、内部に炭を収納できるようにしてもよい。
【００２０】
図１０および図１１に示す本発明を実施するための第４の形態において、前記本発明を実施するための最良の第１の形態と主に異なる点は、木酢液あるいは竹酢液７を吸着させた炭８を用いて、ダルマ形状の室内の飾り物本体２Cを形成した点で、このように形成された室内の飾り物本体２Cを用いて構成したダルマ形状の室内の飾り物１Cにしても、前記本発明を実施するための最良の第１の形態と同様な作用効果が得られるとともに、木酢液や竹酢液７によって防虫、防カビ効果の向上を図ることができる。
なお、本発明を実施するための形態では木酢液あるいは竹酢液７に香りの成分を付加したものや、香りの成分だけを吸着させた炭８を用いてダルマ形状の室内の飾り物本体２Cを形成してもよい。
【００２１】
図１２および図１３に示す本発明を実施するための第５の形態において、前記本発明を実施するための第２の形態と主に異なる点は、支持具９に回転可能に取付けられる球形状に室内の飾り物本体２Dを形成するとともに、該室内の飾り物本体２Dの表面を通気性の塗料を用いて火星儀や地球儀としての形状模様の塗膜３Ａを形成した点で、このように構成した地球儀としての室内の飾り物１Ｄにしても、前記本発明を実施するための第２の形態と同様な作用効果が得られる。
【００２２】
図１４および図１５に示す本発明を実施するための第６の形態において、前記本発明を実施するための第３の形態と主に異なる点は、外表面に炭シート６を貼着固定した置時計のケース体１０を用いた点で、このように置時計としての室内の飾り物１Ｅにしても、前記本発明を実施するための第３の形態と同様な作用効果が得られる。
なお、本発明の実施の形態では掛時計のケース体に炭シートを貼着固定することにより、掛時計としての室内の飾り物にも同様に実施することができる。
【００２３】
図１６および図１７に示す本発明を実施するための第７の形態において、前記本発明を実施するための最良の第１の形態と主に異なる点は、炭あるいは粉炭を通気性を有する接着剤や凝固剤等でベース板状に固めたベース板本体１１と、このベース板本体１１の表面に通気性を有する塗料を用いて形成した塗膜３Ｂとからなるベース板１２上に、表面に通気性の塗膜３が形成された、炭で動物の形状に加工された室内の飾り物本体２Ｅを設置した点で、このようなベース板１２を用いた動物の形状の室内の飾り物１Ｆとしても、前記本発明を実施するための最良の第１の形態と同様な作用効果が得られる。
【００２４】
図１８および図１９に示す本発明を実施するための第８の形態において、前記本発明を実施するための第３の形態と主に異なる点は、内部に電球１３が設置された行灯のフレーム１４に、粉炭や粒炭４を付着させた和紙１５を貼着させた点で、このように構成された行灯として使用される室内の飾り物１Ｇとしても、前記本発明を実施するための第３の形態と同様な作用効果が得られるとともに、電球１３で和紙１５に付着された粉炭や粒炭４が加熱されると、遠赤外線効果や消臭効果が向上し、マイナスイオンの放出量を大幅に上げることができる。
【００２５】
図２０および図２１に示す本発明を実施するための第９の形態において、前記本発明を実施するための第２の形態と主に異なる点は、粉炭や粒炭４を合成樹脂材に加えて絵皿として使用できる室内の飾り物本体２Ｆを形成した後、通気性の塗料で表面に絵の塗膜３Ｃを形成した点で、このように構成した絵皿として使用できる室内の飾り物１Ｈにしても、前記本発明を実施するための第２の形態と同様な作用効果が得られる。
【００２６】
図２２および図２３に示す本発明を実施するための第１０の形態において、前記本発明を実施するための第９の形態と主に異なる点は、絵皿１６の背面に粉炭や粒炭４を通気性の接着剤や凝固剤５で所定の厚さ寸法に固着させた室内の飾り物本体２Ｇを用いた点で、このように形成された室内の飾り物本体２Ｇを用いて構成された絵皿として使用される室内の飾り物１Ｉにしても、前記本発明を実施するための第９の形態と同様な作用効果が得られる。
なお、本発明の実施の形態の室内の飾り物１Ｉを、直射日光が入り込む出窓部分に設置することにより、遠赤外線効果や消臭効果の向上を図ることができるとともに、マイナスイオンの放出量を大幅に上げることができる。
【００２７】
図２４および図２５に示す本発明を実施するための第１１の形態において、前記本発明を実施するための第１０の形態と主に異なる点は、素焼きの干支等の形状の室内の飾り物本体２Ｈに粉炭４を吸着させた点で、このように形成された室内の飾り物本体２Ｈを用いて構成された室内の飾り物１Ｊにしても、前記本発明を実施するための第１０の形態と同様な作用効果が得られる。
なお、本発明の実施の形態の室内の飾り物本体２Ｈとして県、市町村、企業等のイメージキャラクターに形成したものを用いて室内の飾り物１Ｊを形成し、町おこし、村おこしに利用できるようにしても良い。
また、素焼きの干支等の形状の室内の飾り物本体２Ｈを形成する場合、モミガラやわら、木炭と一緒に焼成することにより、室内の飾り物本体２Ｈに自動的に炭を吸着させてもよい。
【００２８】
図２６および図２７に示す本発明を実施するための第１２の形態において、前記本発明を実施するための最良の第１の形態と主に異なる点は、クリスマスツリーの木１７や枝１８部分を炭で形成した室内の飾り物本体２Ｉを用いた点で、このように形成された室内の飾り物本体２Ｉを用いて構成された室内の飾り物１Ｋにしても、前記本発明を実施するための第１の形態と同様な作用効果が得られる。
【００２９】
図２８および図２９に示す本発明を実施するための第１３の形態において、前記本発明を実施するための最良の第１の形態と主に異なる点は、門松の竹部分１９を竹炭２０で形成した飾り物本体２Ｊを用いた点で、このように形成された飾り物本体２Ｊを用いて構成された飾り物１Ｍにしてもよい。
なお、本発明の実施の形態の飾り物本体２Ｊとして熊手やしめ飾りに形成した飾り物１Ｍにしてもよい。
【００３０】
前記本発明を実施する各形態で使用する炭、粉炭、粒炭は光触媒加工、ふかつ処理等、人工的、自然的に処理したものを用いてもよい。また、炭、粉炭、粒炭に木酢液あるいは竹酢液、香り成分のいずれか一方あるいは両方が吸着されたものを用いてもよい。
【００３１】
【産業上の利用可能性】
【００３２】
本発明は室内の飾り物を製造する産業および炭を製造する産業で利用される。
【図面の簡単な説明】
【００３３】
【図１】本発明を実施するための最良の第１の形態の正面図。
【図２】本発明を実施するための最良の第１の形態の側面図。
【図３】図１の３−３線に沿う断面図。
【図４】本発明を実施するための第２の形態の正面図。
【図５】本発明を実施するための第２の形態の側面図。
【図６】図４の６−６線に沿う断面図。
【図７】本発明を実施するための第３の形態の正面図。
【図８】本発明を実施するための第３の形態の側面図。
【図９】図７の９−９線に沿う断面図。
【図１０】本発明を実施するための第４の形態の正面図。
【図１１】図１０の１１−１１線に沿う断面図。
【図１２】本発明を実施するための第５の形態の正面図。
【図１３】図１２の１３−１３線に沿う断面図。
【図１４】本発明を実施するための第６の形態の正面図。
【図１５】図１４の１５−１５線に沿う断面図。
【図１６】本発明を実施するための第７の形態の正面図。
【図１７】図１６の１７−１７線に沿う断面図。
【図１８】本発明を実施するための第８の形態の正面図。
【図１９】図１８の１９−１９線に沿う断面図。
【図２０】本発明を実施するための第９の形態の正面図。
【図２１】図２０の２１−２１線に沿う断面図。
【図２２】本発明を実施するための第１０の形態の正面図。
【図２３】図２２の２３−２３線に沿う断面図。
【図２４】本発明を実施するための第１１の形態の正面図。
【図２５】図２４の２５−２５線に沿う断面図。
【図２６】本発明を実施するための第１２の形態の正面図。
【図２７】図２６の２７−２７線に沿う断面図。
【図２８】本発明を実施するための第１３の形態の正面図。
【図２９】図２８の２９−２９線に沿う断面図。
【符号の説明】
【００３４】
・  １Ａ、１Ｂ、１Ｃ、１Ｄ、１Ｅ、１Ｆ、１Ｇ、１Ｈ、１Ｉ：室内の飾り物、  
・  ２Ａ、２Ｂ、２Ｃ、２Ｄ、２Ｅ、２Ｆ、２Ｇ：室内の飾り物本体、
・  ３Ａ、３Ｂ、３Ｃ：塗膜、  ４：粉炭や粒炭、
５：接着剤や凝固剤、          ６：炭シート、
７：木酢液あるいは竹酢液、    ８：炭、
９：支持具、                  １０：置時計のケース体、
１１：ベース板本体、          １２：ベース板、
１３：電球、                  １４：行灯のフレーム、
１５：和紙、                  １６：絵皿、
１７：木、                    １７：枝、
１９：竹部分、                ２０：竹炭。
【図１】
2005161646.tif 000003
【図２】
2005161646.tif 000004
【図３】
2005161646.tif 000005
【図４】
2005161646.tif 000006
【図５】
2005161646.tif 000007
【図６】
2005161646.tif 000008
【図７】
2005161646.tif 000009
【図８】
2005161646.tif 000010
【図９】
2005161646.tif 000011
【図１０】
2005161646.tif 000012
【図１１】
2005161646.tif 000013
【図１２】
2005161646.tif 000014
【図１３】
2005161646.tif 000015
【図１４】
2005161646.tif 000016
【図１５】
2005161646.tif 000017
【図１６】
2005161646.tif 000018
【図１７】
2005161646.tif 000019
【図１８】
2005161646.tif 000020
【図１９】
2005161646.tif 000021
【図２０】
2005161646.tif 000022
【図２１】
2005161646.tif 000023
【図２２】
2005161646.tif 000024
【図２３】
2005161646.tif 000025
【図２４】
2005161646.tif 000026
【図２５】
2005161646.tif 000027
【図２６】
2005161646.tif 000028
【図２７】
2005161646.tif 000029
【図２８】
2005161646.tif 000030
【図２９】
2005161646.tif 000031